(57)【要約】【課題】ＬＣＤモジュール装置の外部でコントロール信号を変化させることにより、製造者によって調節が容易である液晶表示装置のコントロール信号調節装置を提供する。【解決手段】画面を表示する液晶パネル部と、前記液晶パネル部に対するデータ供給及び駆動信号を調節するタイミングコントローラ部と、駆動電圧を発生させる電圧発生部と、外部調節信号により調節されるコントロール信号が入力される複数のコントロール信号ピンが装着された入力部とを具備したＬＣＤモジュール装置と、前記ＬＣＤモジュール装置に必要なデータを供給するスケーラー部と、電源を供給する電源部とを具備した変換ボード装置とで構成され、前記変換ボード装置のスケーラー部は、マイコンＧＰＩＯポートを具備し、該マイコンＧＰＩＯポートは前記ＬＣＤモジュール装置の入力部に装着された複数のコントロール信号ピンと接続することにより、コントロール信号を制御する。【選択図】図２
2004310021.tif 000002
【特許請求の範囲】
【請求項１】
画面を表示する液晶パネル部と、前記液晶パネル部に対するデータ供給及び駆動信号を調節するタイミングコントローラ部と、駆動電圧を発生させる電圧発生部と、外部調節信号により調節されるコントロール信号が入力される複数のコントロール信号ピンが装着された入力部とを具備したＬＣＤモジュール装置と、
前記ＬＣＤモジュール装置に必要なデータを供給するスケーラー部と、電源を供給する電源部とを具備した変換ボード装置とで構成され、
前記変換ボード装置のスケーラー部は、マイコンＧＰＩＯ（Ｇｅｎｅｒａｌ  Ｐｕｒｐｏｓｅ  Ｉｎｐｕｔ／Ｏｕｔｐｕｔ）ポートを具備し、該マイコンＧＰＩＯポートは前記ＬＣＤモジュール装置の入力部に装着された複数のコントロール信号ピンと接続することにより、コントロール信号を制御することを特徴とする液晶表示装置のコントロール信号調節装置。
【請求項２】
前記複数のコントロール信号ピンは、少なくとも、ＦＲＣ＿ＥＮ信号、ＴＤＤＩ信号、及びＬＶＤＳ＿ＭＡＰ＿ＳＥＬ信号に対するものを含んで構成され、各々の信号はマイコンＧＰＩＯポートの制御を通じて適切に調節されてタイミングコントローラ部に伝達されることを特徴とする請求項１に記載の液晶表示装置のコントロール信号調節装置。
【請求項３】
前記変換ボード装置は、共通電圧を調節するためのＰＷＭ（Ｐｕｌｓｅ  Ｗｉｄｔｈ  Ｍｏｄｕｌａｔｉｏｎ）信号を発生することを特徴とする請求項１に記載の液晶表示装置のコントロール信号調節装置。
【発明の詳細な説明】
【技術分野】
【０００１】
本発明は液晶表示装置に関するものであり、特にタイミングコントローラ部に入力されるコントロール信号を液晶モジュール装置の外部で調節が可能にすることで使用者が容易に利用でき、より正確な液晶モジュールのチューニング作業を遂行することができる液晶表示装置に関するものである。
【背景技術】
【０００２】
図１は一般的な液晶表示装置とそれを駆動するための方法を説明するためのブロック図である（例えば、特許文献１参照）。
図１に示すように、液晶表示装置はゲートドライバー１０２及びソースドライバー１０４が具備された液晶パネル１０６と、バックライトユニット１０８、そしてこれらを駆動するタイミングコントローラ１１０と、電圧発生部１１２と、コントロール信号生成部１１４と、これら装置を制御する信号が外部から入力される入力部１１６とを具備したＬＣＤモジュール装置１００と、ＬＣＤモジュール装置１００を駆動させるための信号を発生させ、入力部１１６に供給する変換ボード装置２００で構成される。
【０００３】
ＬＣＤモジュール装置１００でタイミングコントローラ１１０は、液晶パネル部１０６に装着されたゲート及びソースドライバー１０２、１０４が液晶パネルを駆動できるようにデータ信号、クロック信号及び各種コントロール信号（ＲＥＶ、ＴＰ、ＰＯＬ、・・・）を制御する機能を有し、電圧発生部１１２は共通電圧、Ｖｏｎ、Ｖｏｆｆ電圧などを発生してソース及びゲートドライバーを駆動させる。コントロール信号はコントロール信号生成部１１４でＦＲＣ＿ｅｎａｂｌｅ、ＬＶＤＳ＿ＭＡＰ＿ＳＥＬ、ＴＤＤＩ、ＰＯＬ＿ＳＥＬＥＣＴ等の各種コントロール信号が発生してタイミングコントローラ１１０に送られる。
【０００４】
変換ボード装置２００は、スケーラー部２０２でデータ及び各種入力信号をデジタル化させてこれを液晶モジュールに合うようにスケーリングし、電源部２０４では液晶パネル部１０６とバックライトユニット１０８を駆動するのに必要な電源をＬＣＤモジュール装置１００に供給する。
【０００５】
しかし、上記のような方式で液晶表示装置を駆動する場合、液晶パネル部を制御するコントロール信号及び共通電圧信号をＬＣＤモジュール装置内部で直接発生して調節するために、ＬＣＤモジュール装置を利用してモニターを製造する製造者の立場では製造中にＬＣＤモジュール装置の画質やその他の問題点が発生する場合、製造者が自らＬＣＤモジュール装置を調節することが不可能であった。したがって、ＬＣＤモジュール製造業者に再び送られて調節後にまた再び確認過程を経るという煩雑な作業が発生し、又、モニター製造業者とＬＣＤモジュール製造業者との意思疎通の難しさ等によって製造の困難さが増すという問題があった。
【０００６】
【特許文献１】特開平１１−０７４３５４号公報
【発明の開示】
【発明が解決しようとする課題】
【０００７】
そこで、本発明は上記従来の液晶表示装置における問題点に鑑みてなされたものであって、本発明の目的は、従来のＬＣＤモジュール装置内で生成及び調節されたコントロール信号と共通電圧信号を外部で調節可能なように構成することにより、製造者によって調節が容易であり、ＬＣＤモジュール上の問題点が生じた場合、いかなる加工及び製造段階でも段階別に製造者が直ちに修正できる液晶表示装置のコントロール信号調節装置を提供することにある。
【課題を解決するための手段】
【０００８】
上記目的を達成するためになされた本発明による液晶表示装置のコントロール信号調節装置は、画面を表示する液晶パネル部と、前記液晶パネル部に対するデータ供給及び駆動信号を調節するタイミングコントローラ部と、駆動電圧を発生させる電圧発生部と、外部調節信号により調節されるコントロール信号が入力される複数のコントロール信号ピンが装着された入力部とを具備したＬＣＤモジュール装置と、前記ＬＣＤモジュール装置に必要なデータを供給するスケーラー部と、電源を供給する電源部とを具備した変換ボード装置とで構成され、前記変換ボード装置のスケーラー部は、マイコンＧＰＩＯ（Ｇｅｎｅｒａｌ  Ｐｕｒｐｏｓｅ  Ｉｎｐｕｔ／Ｏｕｔｐｕｔ）ポートを具備し、該マイコンＧＰＩＯポートは前記ＬＣＤモジュール装置の入力部に装着された複数のコントロール信号ピンと接続することにより、コントロール信号を制御することを特徴とする。
【発明の効果】
【０００９】
本発明による液晶表示装置のコントロール信号調節装置によれば、ＬＣＤモジュール装置の外部でコントロール信号を変化させることによってＬＣＤモジュール開発時にこれらコントロール信号の値の調節が完了されて固定されてしまうのではなく、製造過程中に継続的な調節が可能になって製品の完成度を高めるのに効果があり、よって、多様な購買者の要求に対応できるために多くの顧客を確保するということにも効果的である。
【発明を実施するための最良の形態】
【００１０】
次に、本発明に係る液晶表示装置のコントロール信号調節装置を実施するための最良の形態の具体例を図面を参照しながら説明する。
【実施例】
【００１１】
図２は本発明による液晶表示装置及び外部調節装置を示したブロック図である。
図２に示すように、ＬＣＤモジュール装置４００と変換ボード装置３００とで大きく構成される。
【００１２】
変換ボード装置３００は、ＬＣＤモジュール装置４００に入力する各種入力信号をデジタル化させて、これをＬＣＤモジュールに合うようにスケーリングするスケーラー部３０２と、ＬＣＤモジュールを駆動させるのに必要な電源を供給する電源部３０４とで構成される。
【００１３】
ここでスケーラー部３０２にはＬＣＤモジュールを制御する各種コントロール信号を調節する機能を有するマイコンＧＰＩＯポートが搭載され、又、変換ボード装置３００内部より共通電圧（Ｖｃｏｍ）を調節するためのＰＷＭ（Ｐｕｌｓｅ  Ｗｉｄｔｈ  Ｍｏｄｕｌａｔｉｏｎ）信号３０６を出力する。  
【００１４】
ＬＣＤモジュール装置４００は、入力部４０２と、タイミングコントローラ４０４と、電圧発生部４０６と、ゲート及びソースドライバー４０３、４０５、及びバックライトユニット４０７が装着された液晶パネル部４０８で構成される。
【００１５】
入力部４０２は、液晶パネル部４０８に利用される機能をコントロールする信号、すなわちＦＲＣ＿Ｅｎａｂｌｅ、ＴＤＤＩ、ＬＶＤＳ＿ＭＡＰ＿ＳＥＬ、ＰＯＬ＿Ｓｅｌｅｃｔのような信号端子等がコントロール信号ピンとして装着されてスケーラー部３０２に搭載されたマイコンＧＰＩＯポートの制御信号を通じて液晶モジュールに合うコントロール信号に変換してタイミングコントローラ４０４に伝達し、又、電圧発生部４０６にＰＷＭ共通電圧信号３０６を出力する。
【００１６】
タイミングコントローラ４０４は、入力部４０２からの各種コントロール信号及び駆動電圧を液晶パネル部４０８のそれぞれの駆動装置に必要な信号に分離した後、ソースドライバー４０５にデータ信号を分配してゲートドライバー４０３を制御する。
【００１７】
電圧発生部４０６は、入力部４０２から伝達された共通電圧及び電源をドライバーＩＣに入力される基準電圧及び駆動電圧に変換してそれぞれのドライバーＩＣに伝達する。
【００１８】
言い換えれば、液晶パネル部４０８を駆動させて制御するために必要なコントロール信号端子をコントロール信号ピンで構成してＬＣＤモジュール装置４００の入力部４０２に装着して、スケーラー部３０２に装着されたマイコンＧＰＩＯポートを利用してコントロールピンをＬＣＤモジュールに合うようにソフトウェア的に適切に調節することによって、ＬＣＤモジュール装置４００の修正過程に問題が生じた時、製造者がＬＣＤモジュール装置４００に手を付けなくても外部から難無く修正できるものである。
【００１９】
図３は、本発明でコントロールしようとする信号を示したテーブルである。
図に示すように、ＦＲＣ＿ＥＮ信号はＬＣＤパネルのディザリング  （ｄｉｔｈｅｒｉｎｇ）の使用可否を決定する信号であり、セッティング方法はハイ／ロー選択信号とし、ＶＣＯＭ＿ＣＴ信号は本発明で提案する方式でＬＣＤモジュール装置内の共通電圧と変換ボードから出力された共通電圧の使用可否を決定する信号としてセッティング方法はハイ／ロー選択信号とする。
以下のＴＤＤＩ（Ｔｒａｎｓｉｔｉｏｎ  Ｄｅｐｅｎｄｅｎｔ  Ｄａｔａ  Ｉｎｖｅｒｓｉｏｎ）、ＰＯＬ＿ＳＥＬ、ＬＶＤＳ＿ＭＡＰ＿ＳＥＬ信号等もＬＣＤ特性を決定する信号として同一な方法でセッティングが可能である。
【００２０】
図４及び図５は、ＬＣＤモジュール装置の入力部４０２の各種コントロール信号をコントロール信号ピンで構成して入力部に配置させたブロック図、及び実際の製品への適用回路図（例えばＢＯＥ−ＨＹＤＩＳ−ＴＥＣＨＮＯＬＯＧＹ製ＨＭ１７Ｅ１１−ＣＯ２）である。
【００２１】
図６は本発明による共通電圧を出力するための回路図である。
図に示すように、ＯＰ−ａｍｐｌｉｆｉｅｒを利用して、ＯＰ−ａｍｐｌｉｆｉｅｒをＬＣＤモジュール装置の入力部に配置して、変換ボード装置で出力されたＰＷＭ信号によってＶｃｏｍ電圧を発生させるように構成される。
【００２２】
尚、本発明は、上述の実施例に限られるものではない。本発明の技術的範囲から逸脱しない範囲内で多様に変更実施することが可能である。
【図面の簡単な説明】
【００２３】
【図１】従来の一般的な液晶表示装置とそれを駆動するための方法を説明するためのブロック図である。
【図２】本発明による液晶表示装置及び外部調節装置を示したブロック図である。
【図３】本発明でコントロールしようとする信号を示したテーブル（名前、機能、セッティング方法に対する例）である。
【図４】各種コントロール信号をコントロール信号ピンで構成して入力部に配置させたブロック図である。
【図５】図４の構成を実際の製品へ適用した場合の回路図である。
【図６】本発明による共通電圧を出力するための回路図である。
【符号の説明】
【００２４】
３００        変換ボード装置
３０２        スケーラー部
３０４        電源部
４００        ＬＣＤモジュール装置
４０２        入力部
４０３        ゲートドライバー
４０４        タイミングコントローラ
４０５        ソースドライバー
４０６        電圧発生部
４０７        バックライトユニット
４０８        液晶パネル部
【図１】
2004310021.tif 000003
【図２】
2004310021.tif 000004
【図３】
2004310021.tif 000005
【図４】
2004310021.tif 000006
【図５】
2004310021.tif 000007
【図６】
2004310021.tif 000008